(57)【要約】  現金処理装置（１）は、複数のモジュール（１１〜１５）が連結された連結体（１０）と、前記連結体（１０）を筐体から引き出すためのスライドレール（２１〜２３）と、前記連結体（１０）の外周４面のうちの隣接する２面以上（左側面及び背面）に固定され、前記複数のモジュール（１１〜１５）を一体に保持する保持部（３０）とを備える。
2019167117.tif 000002
【特許請求の範囲】
【請求項１】
複数のモジュールが連結された連結体と、
前記連結体を筐体から引き出すためのスライドレールと、
前記連結体の外周４面のうちの隣接する２面以上に固定され、前記複数のモジュールを一体に保持する保持部と
を備えることを特徴とする現金処理装置。
【請求項２】
前記複数のモジュールは、高さ方向に連結され、
前記保持部は、前記連結体の前記外周４面のうちの第１の面において前記複数のモジュールのうち少なくとも最上段の前記モジュール及び最下段のモジュールに固定され、前記外周４面のうちの前記第１の面に隣接する第２の面において少なくとも１つの前記モジュールに固定されている、
ことを特徴とする請求項１記載の現金処理装置。
【請求項３】
前記スライドレールは、前記連結体を挟んで互いに反対側に配置された第１のスライドレール及び第２のスライドレールと、前記第１のスライドレールの下方に配置された第３のスライドレールとの計３つのスライドレールのみからなることを特徴とする請求項１又は２記載の現金処理装置。
【請求項４】
前記第１のスライドレール及び前記第３のスライドレールは、前記保持部に固定されていることを特徴とする請求項３記載の現金処理装置。
【請求項５】
前記連結体に固定され、前記スライドレールに直接的又は間接的に載置されるように配置されたブラケットを更に備えることを特徴とする請求項１から４のいずれか１項記載の現金処理装置。
【請求項６】
前記ブラケットは、前記スライドレールに直接的又は間接的に載置された状態で、前記スライドレールの開閉方向に直交する幅方向への脱落を防止するための引っ掛け部を有することを特徴とする請求項５記載の現金処理装置。
【請求項７】
少なくとも１つの前記スライドレールは、前記保持部に固定され、
少なくとも１つの前記ブラケットは、前記保持部を介して前記スライドレールに載置されている、
ことを特徴とする請求項５又は６記載の現金処理装置。
【発明の詳細な説明】
【技術分野】
【０００１】
本発明は、紙幣又は硬貨の入出金等の処理を行う現金処理装置に関する。
【背景技術】
【０００２】
従来、現金処理装置に搭載されている重量物の保守等の作業を簡単且つ安全に実施するために、一時的に重量物を現金処理装置から取り出し且つ現金処理装置に戻すことが可能なスライドレールが用いられている。なお、このようなスライドレールの一例として、収納カセットの着脱を操作する側のスライドレールを低い位置とした２本の段違いのスライドレールが知られている（例えば、特許文献１参照）。
【先行技術文献】
【特許文献】
【０００３】
【特許文献１】特許第５４７２０４７号公報
【発明の概要】
【発明が解決しようとする課題】
【０００４】
ところで、スライドレールは、例えばネジによって重量物に固定され、開閉時にはスライドレールが有するストッパ機構によって開閉量が制限される。また、基本的にスライドレールには耐荷重が設定されているため、それ以上の重量物が搭載されなければ問題は生じにくい。しかし、重量物の重さが重いほど、また、開閉スピードが速いほど、スライドレールの全開位置又は全閉位置で重量物がストップする際に慣性力による衝撃が大きくなる。【０００５】
そのため、重量物が複数のモジュールが連結された連結体である場合、スライドレールの開閉時にスライドレールによって保持されるモジュール以外のモジュールにかかる慣性力による衝撃が原因でモジュール間の連結部に負荷がかかり、連結部が破損するおそれがある。また、連結体は、スライドレールの開閉方向に直交する横方向に揺れることで、連結体を収容する筐体の内壁にぶつかり、破損するおそれもある。【０００６】
本発明の目的は、スライドレールを備える現金処理装置における破損の発生を抑制することである。
【課題を解決するための手段】
【０００７】
１つの態様では、現金処理装置は、複数のモジュールが連結された連結体と、前記連結体を筐体から引き出すためのスライドレールと、前記連結体の外周４面のうちの隣接する２面以上に固定され、前記複数のモジュールを一体に保持する保持部とを備える。
【発明の効果】
【０００８】
前記態様によれば、スライドレールを備える現金処理装置における破損の発生を抑制することができる。
【図面の簡単な説明】
【０００９】
【図１】スライドレール全閉状態の紙幣入出金装置を示す正面側斜視図である。
【図２】スライドレール全開状態の紙幣入出金装置を示す正面側斜視図である。
【図３】スライドレール全開状態の紙幣入出金装置を示す背面側斜視図である。
【図４】スライドレール全開状態の紙幣入出金装置を示す左側面図である。
【図５】スライドレール全開状態の紙幣入出金装置を示す底面図である。
【図６Ａ】全開状態のスライドレールを示す正面側斜視図である。
【図６Ｂ】連結体を示す正面側斜視図である。
【図６Ｃ】連結体（取っ手ブラケット）がスライドレール（保持部及び被載置部）に載置された状態を示す正面側部分拡大斜視図である。
【図７Ａ】全開状態のスライドレールを示す拡大正面図である。
【図７Ｂ】連結体を示す拡大正面図である。
【図７Ｃ】連結体（取っ手ブラケット）がスライドレール（保持部及び被載置部）に載置された状態を示す拡大正面図である。
【発明を実施するための形態】
【００１０】
以下、本発明の一実施の形態に係る現金処理装置について、図面を参照しながら説明する。なお、本実施の形態では、現金処理装置の一例として紙幣入出金装置１について説明するが、現金は紙幣に限らず硬貨であってもよく、また、現金の処理については、入出金に限らず、出金のみ、入金のみなどの他の処理であってもよい。
【００１１】
図１は、第１〜第３のスライドレール２１〜２３が全閉状態の紙幣入出金装置１を示す正面側斜視図である。
【００１２】
図２〜図５は、第１〜第３のスライドレール２１〜２３が全開状態の紙幣入出金装置１を示す正面側斜視図、背面側斜視図、左側面図、及び底面図である。
【００１３】
なお、図１〜図５並びに後述する図６Ａ〜図６Ｃ及び図７Ａ〜図７Ｃに付した上下、前後、左右の各方向は、例えば、上下が鉛直方向、前後左右が水平方向である。
【００１４】
図１〜図５に示す紙幣入出金装置１は、連結体１０と、第１のスライドレール２１と、第２のスライドレール２２と、第３のスライドレール２３と、保持部３０と、ブラケットの一例である第１の取っ手ブラケット４１及び第２の取っ手ブラケット４２と、被載置部５１（図３参照）とを備える。
【００１５】
連結体１０は、各々が直方体形状の、第１のモジュール１１、第２のモジュール１２、第３のモジュール１３、第４のモジュール１４、及び第５のモジュール１５が上から順に高さ方向に連結された重量物（重量ユニット）である。第１〜第５のモジュール１１〜１５は、例えば、上側に位置するモジュールの底面及び背面とその下側に位置するモジュールの上面及び背面とにおいて連結されているが、モジュール間の連結方法は任意である。なお、連結体１０が有するモジュールは複数であればよく、以下に述べる第１〜第５のモジュール１１〜１５は一例にすぎない。
【００１６】
第１のモジュール１１には、紙幣を出金するための出金部１１ａ及び紙幣を入金するための入金部１１ｂが前方に突出するように設けられている。また、第１のモジュール１１には、紙幣を搬送する搬送部、紙幣を鑑別する鑑別部などが配置されている。
【００１７】
第２のモジュール１２及び第３のモジュール１３は、入金された紙幣のうち出金に用いられる紙幣を収容する。例えば、第２のモジュール１２及び第３のモジュール１３の内部には、前部及び後部のそれぞれに、紙幣をフィルムで挟んで巻き付けて収容する図示しないリサイクル紙幣収容部が配置されている。
【００１８】
第４のモジュール１４は、外部から補充され出金に用いられる紙幣を収容する。
第５のモジュール１５は、入金された紙幣のうち出金に用いられない紙幣を収容する。
【００１９】
第１のスライドレール２１、第２のスライドレール２２、及び第３のスライドレール２３は、図示しない筐体から連結体１０を引き出すために、筐体の内壁に後端側を固定されている。スライドレールの数は任意ではあるが、第１のスライドレール２１、第２のスライドレール２２、及び第３のスライドレール２３の計３つのスライドレールのみからなることが望ましい。
【００２０】
図２及び図３に示すように、第１のスライドレール２１及び第２のスライドレール２２は、連結体１０を挟んで互いに反対側に配置されている。具体的には、第１のスライドレール２１は、連結体１０の左側面側に配置され、第２のスライドレール２２は、連結体１０の右側面側に配置されている。第３のスライドレール２３は、第１のスライドレールの下方、すなわち連結体１０の左側面側に配置されている。
【００２１】
図３に示すように、保持部３０は、第１のスライドレール２１及び第３のスライドレール２３の前端側の右側面に固定されている。また、保持部３０は、連結体１０の左側面（第１の面の一例）及び背面（第２の面の一例）に固定され、第１〜第５のモジュール１１〜１５を一体に保持する。このように、保持部３０は、連結体１０の外周４面（左右の側面、正面、及び背面）のうちの隣接する２面以上に固定されるとよい。
【００２２】
保持部３０は、左側面保持部３１と、背面保持部３２と、背面保持部３３とを有する。
図４に示すように、左側面保持部３１は、第１〜第５のモジュール１１〜１５の左側面を覆う矩形板状を呈する。図６Ａに示すように、左側面保持部３１は、後述する第１の取っ手ブラケット４１の載置面４１ｂ，４１ｃが載置される被載置面３１ａと、載置面４１ｂ，４１ｃに設けられた引っ掛け部４１ｄ，４１ｅが引っ掛けられるように上方に突出する引っ掛け用凸部３１ｂ，３１ｃと、右側面に設けられた固定用部材３１ｄとを有する。
【００２３】
図４に示すように、左側面保持部３１は、図６Ａに示す固定用部材３１ｄにおいて、固定ネジ３６によって第２のモジュール１２に固定され、固定ネジ３７によって第３のモジュール１３に固定され、固定ネジ３８によって第４のモジュール１４に固定され、固定ネジ３９によって第５のモジュール１５に固定されている。
【００２４】
なお、詳しくは後述するが、左側面保持部３１は、被載置面３１ａにおいて、第１のモジュール１１に固定された第１の取っ手ブラケット４１に固定されるため、間接的に第１のモジュール１１に固定されている。
【００２５】
このように、左側面保持部３１は、第１〜第５のモジュール１１〜１５の全てに固定されている。なお、左側面保持部３１は、少なくとも最上段の第１のモジュール１１と最下段の第５のモジュール１５とに固定されているとよい。
【００２６】
図３に示すように、背面保持部３２は、左側面保持部３１の後端に固定されているとともに、第４のモジュール１４の背面の下端に固定ネジ３４によって固定されている。また、背面保持部３３は、左側面保持部３１の後端に固定されているとともに、第５のモジュール１５の背面の下端に固定ネジ３５によって固定されている。なお、背面保持部３２，３３に固定されるモジュールは、第１のモジュール１１以外のモジュールであることが望ましい。第１のモジュール１１は、詳しくは後述するが、第１のモジュール１１に固定された第１の取っ手ブラケット４１及び第２の取っ手ブラケット４２において、保持部３０及び被載置部５１を介して第１のスライドレール２１及び第２のスライドレール２２に強固に固定されるためである。より望ましくは、背面保持部３２，３３に固定されるモジュールは、第１のモジュール１１に対して遠くに配置されるモジュール、例えば、第２のモジュール１２及び第３のモジュール１３よりも第４のモジュール１４や第５のモジュール１５であることが望ましい。
【００２７】
図６Ａ及び図７Ａは、全開状態の第１〜第３のスライドレール２１〜２３を示す正面側斜視図及び拡大正面図である。
【００２８】
図６Ｂ及び図７Ｂは、連結体１０を示す正面側斜視図及び拡大正面図である。
図６Ｃ及び図７Ｃは、連結体１０（第１の取っ手ブラケット４１及び第２の取っ手ブラケット４２）が第１のスライドレール２１（保持部３０）及び第２のスライドレール２２（被載置部５１）に載置された状態を示す正面側部分拡大斜視図及び拡大正面図である。
【００２９】
ここで、連結体１０の実装時や交換時などの紙幣入出金装置１の組み立て時には、図６Ｂ及び図７Ｂに示すように第１のモジュール１１の左側面に固定された第１の取っ手ブラケット４１が、図６Ａ及び図７Ａに示す保持部３０に載置され、図６Ｂ及び図７Ｂに示すように第１のモジュール１１の右側面に固定された第２の取っ手ブラケット４２が、図６Ａ及び図７Ａに示す被載置部５１に載置される。そして、第１の取っ手ブラケット４１が保持部３０に固定され、第２の取っ手ブラケット４２が被載置部５１に固定されることで、連結体１０が第１のスライドレール２１及び第２のスライドレール２２に固定される。
【００３０】
図６Ａ及び図７Ａに示すように、第２のスライドレール２２の前端側の左側面には、被載置部５１が固定されている。この被載置部５１は、図６Ｃ及び図７Ｃに示すように第２の取っ手ブラケット４２の載置面４２ｂ，４２ｃが載置される被載置面５１ａと、載置面４２ｂ，４２ｃに設けられた引っ掛け部４２ｄ，４２ｅが引っ掛けられるように上方に突出する引っ掛け用凸部５１ｂ，５１ｃとを有する。なお、上述したが、保持部３０は、図７Ｃに示すように第１の取っ手ブラケット４１の載置面４１ｂ，４１ｃが載置される被載置面３１ａと、載置面４１ｂ，４１ｃに設けられた引っ掛け部４１ｄ，４１ｅが引っ掛けられるように上方に突出する引っ掛け用凸部３１ｂ，３１ｃとを有する。すなわち、保持部３０は、第１〜第５のモジュール１１〜１５を一体に保持するだけでなく、第２の取っ手ブラケット４２が載置される被載置部５１と同様に、第１の取っ手ブラケット４１が載置される被載置部を兼ねている。
【００３１】
図７Ｂに示すように、第１の取っ手ブラケット４１は、連結体１０の左側面に固定ネジ４１ｆ，４１ｇ，４１ｈによって固定されている。また、図６Ｂ及び図７Ｂに示すように、第２の取っ手ブラケット４２は、連結体１０の右側面に固定ネジ４２ｆ，４２ｇ，４２ｈによって固定されている。
【００３２】
図６Ｂ及び図７Ｂに示すように、第２の取っ手ブラケット４２は、上方に突出し上端から右側に水平に屈曲する取っ手部分４２ａと、右側に水平に屈曲し被載置部５１の被載置面５１ａに載置される載置面４２ｂ，４２ｃと、載置面４２ｂの右側端部から前方に突出する引っ掛け部４２ｄと、載置面４２ｃの左側端部から後方に突出する引っ掛け部４２ｅとを有する。これにより、図６Ｃ及び図７Ｃに示すように、第２の取っ手ブラケット４２は、載置面４２ｂ，４２ｃにおいて被載置部５１の被載置面５１ａに載置されることで、被載置部５１に固定された第２のスライドレール２２に被載置部５１を介して載置されている。
【００３３】
第２の取っ手ブラケット４２の引っ掛け部４２ｄ，４２ｅは、第１〜第３のスライドレール２１〜２３の開閉方向（前後方向）に直交する幅方向（左方向）への第２の取っ手ブラケット４２（連結体１０）の脱落を防止するために、被載置部５１の引っ掛け用凸部５１ｂ，５１ｃに引っ掛けられる。
【００３４】
図７Ｂに示すように、第１の取っ手ブラケット４１は、上方に突出し上端から左側に水平に屈曲する取っ手部分４１ａと、左側に水平に屈曲し左側面保持部３１の被載置面３１ａに載置される載置面４１ｂ，４１ｃと、載置面４１ｂの左側端部から前方に突出する引っ掛け部４１ｄと、載置面４１ｃの左側端部から後方に突出する引っ掛け部４１ｅとを有する。これにより、図７Ｃに示すように、第１の取っ手ブラケット４１は、載置面４１ｂ，４１ｃにおいて保持部３０の被載置面３１ａに載置されることで、保持部３０に固定された第１のスライドレール２１に、保持部３０を介して載置されている。
【００３５】
第１の取っ手ブラケット４１の引っ掛け部４１ｄ，４１ｅは、幅方向（右方向）への第１の取っ手ブラケット４１（連結体１０）の脱落を防止するために、保持部３０の引っ掛け用凸部３１ｂ，３１ｃに引っ掛けられる。
【００３６】
第１の取っ手ブラケット４１は、保持部３０を介さずに直接的に第１のスライドレール２１に載置されていてもよい。また、第２の取っ手ブラケット４２は、被載置部５１を介さずに直接的に第２のスライドレール２２に載置されていてもよい。
【００３７】
なお、図６Ｂに示すように、第１の取っ手ブラケット４１の取っ手部分４１ａは、第２の取っ手ブラケット４２の取っ手部分４２ａよりも前方に位置する。また、第１の取っ手ブラケット４１及び第２の取っ手ブラケット４２の載置面４１ｂ，４２ｂは、取っ手部分４１ａ，４１ｂの前方に設けられ、第１の取っ手ブラケット４１及び第２の取っ手ブラケット４２の載置面４１ｃ，４２ｃは、取っ手部分４１ａ，４１ｂの後方に設けられている。
【００３８】
図７Ｃに示すように、第１の取っ手ブラケット４１は、固定ネジ４１ｉ，４１ｊ，４１ｋによって載置面４１ｂ，４１ｃにおいて保持部３０の被載置面３１ａに固定されている。また、図６Ｃ及び図７Ｃに示すように、第２の取っ手ブラケット４２は、固定ネジ４２ｉ，４２ｊ，４２ｋによって載置面４２ｂ，４２ｃにおいて被載置部５１の被載置面５１ａに固定されている。これにより、連結体１０は、第１の取っ手ブラケット４１及び保持部３０を介して第１のスライドレール２１に固定され、第２の取っ手ブラケット４２及び被載置部５１を介して第２のスライドレール２２に固定されている。なお、上述のように第３のスライドレール２３は保持部３０に固定されているため、連結体１０は、保持部３０を介して第３のスライドレール２３に固定されているともいえる。
【００３９】
以上説明した本実施の形態では、現金処理装置の一例である紙幣入出金装置１は、複数のモジュールの一例である第１〜第５のモジュール１１〜１５が連結された連結体１０と、この連結体１０を筐体から引き出すためのスライドレールの一例である第１〜第３のスライドレール２１〜２３と、連結体１０の外周４面（左右の側面、正面、及び背面）のうちの隣接する２面以上の一例である左側面及び背面に固定され、第１〜第５のモジュール１１〜１５を一体に保持する保持部３０とを備える。
【００４０】
これにより、第１〜第３のスライドレール２１〜２３の開閉時に第１〜第５のモジュール１１〜１５にかかる慣性力による衝撃が原因でモジュール間の連結部に負荷がかかるのを保持部３０によって抑制することができるため、モジュール間の連結部が破損することを防止することができる。また、保持部３０が連結体１０の左右方向の揺れを抑制することができるため、連結体１０が筐体の内壁にぶつかり破損することも防止することができる。よって、本実施の形態によれば、スライドレール（第１〜第３のスライドレール２１〜２３）を備える現金処理装置（紙幣入出金装置１）における破損の発生を抑制することができる。
【００４１】
また、本実施の形態では、第１〜第５のモジュール１１〜１５は、高さ方向に連結され、保持部３０は、連結体１０の外周４面（左右の側面、正面、及び背面）のうちの第１の面の一例である左側面において第１〜第５のモジュール１１〜１５（少なくとも最上段のモジュール及び最下段のモジュール）に固定され、外周４面のうちの第１の面に隣接する第２の面の一例である背面において第４のモジュール１４及び第５のモジュール１５（少なくとも１つのモジュールの一例）に固定されている。これにより、第１のスライドレール２１及び第２のスライドレール２２に間接的に固定される第１のモジュール１１から遠い第４のモジュール１４及び第５のモジュール１５などの、慣性力による衝撃がかかりやすいモジュール間の連結部の破損を確実に防止することができる。また、保持部３０が連結体１０の左右側面のうち左側面のみに固定される場合、連結体１０の右側面を連結体１０の保守などを行うために利用することができる。
【００４２】
また、本実施の形態では、紙幣入出金装置１が備えるスライドレールは、連結体１０を挟んで互いに反対側に配置された第１のスライドレール２１及び第２のスライドレール２２と、第１のスライドレール２１の下方に配置された第３のスライドレール２３との計３つのスライドレールのみからなる。これにより、連結体１０の左右方向の揺れをより確実に抑制することができるため、連結体１０が筐体の内壁にぶつかり破損することをより確実に防止することができる。また、連結体１０の上下にスライドレールが配置されないため、連結体１０に連結されるモジュールを高さ方向に増やすこともできる。
【００４３】
また、本実施の形態では、第１のスライドレール２１及び第３のスライドレール２３は、保持部３０に固定されている。これにより、２つのスライドレールに固定された保持部３０によって連結体１０をより確実に保持することができるため、紙幣入出金装置１における破損の発生をより一層抑制することができる。
【００４４】
また、本実施の形態では、ブラケットの一例である第１の取っ手ブラケット４１及び第２の取っ手ブラケット４２は、連結体１０に固定され、第１のスライドレール２１及び第２のスライドレール２２に直接的又は間接的に載置される。これにより、紙幣入出金装置１の組み立て時に、連結体１０を第１のスライドレール２１及び第２のスライドレール２２に載置した状態で、第１の取っ手ブラケット４１と保持部３０との固定や、第２の取っ手ブラケット４２と被載置部５１との固定や、第２〜第５のモジュール１２〜１５と保持部３０との固定などを行うことができるため、１人の作業者のみで紙幣入出金装置１の組み立てを行うことができる。
【００４５】
また、本実施の形態では、第１の取っ手ブラケット４１及び第２の取っ手ブラケット４２は、第１のスライドレール２１及び第２のスライドレール２２に直接的又は間接的に載置された状態で、第１のスライドレール２１及び第２のスライドレール２２の開閉方向に直交する幅方向（左右方向）への脱落を防止するための引っ掛け部４１ｄ，４１ｅ，４２ｄ，４２ｅを有する。これにより、第１のスライドレール２１又は第２のスライドレール２２が幅方向に撓んでも、連結体１０（第１の取っ手ブラケット４１及び第２の取っ手ブラケット４２）の脱落（落下）を防止することができる。
【００４６】
また、本実施の形態では、少なくとも１つのスライドレールの一例である第１のスライドレール２１及び第３のスライドレール２３は、保持部３０に固定され、少なくとも１つのブラケットの一例である第１の取っ手ブラケット４１は、保持部３０を介して第１のスライドレール２１に載置されている。そのため、第２のスライドレール２２に固定され第２の取っ手ブラケット４２が載置される被載置部５１と同様に、第１のスライドレール２１に固定され第１の取っ手ブラケット４１が載置される被載置部を保持部３０が兼ねることができる。そのため、第１〜第５のモジュール１１〜１５を一体に保持する保持部３０を用いた簡素な構成で、連結体１０（第１の取っ手ブラケット４１）を第１のスライドレール２１（保持部３０）に確実に載置することができる。
【００４７】
なお、本発明は、上述した実施の形態そのままに限定されるものではなく、実施段階でのその要旨を逸脱しない範囲で構成要素を変形して具体化することができる。また、実施の形態に開示されている複数の構成要素の適宜な組み合わせにより、種々の発明を形成することができる。例えば、実施の形態に示される全構成要素を適宜組み合わせてもよい。このように、発明の趣旨を逸脱しない範囲内において種々の変形や応用が可能である。
【符号の説明】
【００４８】
１      紙幣入出金装置（現金処理装置）
１０      連結体
１１      第１のモジュール
１１ａ      出金部
１１ｂ      入金部
１２      第２のモジュール
１３      第３のモジュール
１４      第４のモジュール
１５      第５のモジュール
２１      第１のスライドレール
２２      第２のスライドレール
２３      第３のスライドレール
３０      保持部
３１      左側面保持部
３１ａ      被載置面
３１ｂ，３１ｃ      引っ掛け用凸部
３１ｄ      固定用部材
３２，３３      背面保持部
３４〜３９      固定ネジ
４１      第１の取っ手ブラケット（ブラケット）
４１ａ      取っ手部分
４１ｂ，４１ｃ      載置面
４１ｄ，４１ｅ      引っ掛け部
４１ｆ〜４１ｋ      固定ネジ
４２      第２の取っ手ブラケット（ブラケット）
４２ａ      取っ手部分
４２ｂ，４２ｃ      載置面
４２ｄ，４２ｅ      引っ掛け部
４２ｆ〜４２ｋ      固定ネジ
５１      被載置部
５１ａ      被載置面
５１ｂ，５１ｃ      引っ掛け用凸部
【図１】
2019167117.tif 000003
【図２】
2019167117.tif 000004
【図３】
2019167117.tif 000005
【図４】
2019167117.tif 000006
【図５】
2019167117.tif 000007
【図６Ａ】
2019167117.tif 000008
【図６Ｂ】
2019167117.tif 000009
【図６Ｃ】
2019167117.tif 000010
【図７Ａ】
2019167117.tif 000011
【図７Ｂ】
2019167117.tif 000012
【図７Ｃ】
2019167117.tif 000013
【国際調査報告】
2019167117.tif 000014
2019167117.tif 000015
2019167117.tif 000016
2019167117.tif 000017